(57)【要約】【課題】ロック機能を備え、魔法瓶内の水を溢さないように解錠しないと蓋を開けることができない、解錠時間が節約できる魔法瓶用蓋体を提供する。【解決手段】上蓋（１）と下蓋（２）を備え、上蓋（１）と下蓋（２）は枢着部（１１）により連結している。枢着部（１１）には、ねじりばね（１２）が設けられ、上蓋（１）の縁側に係止部（９）が設けられている。下蓋（２）は飲み口（７）、操作ボタン（３）、ロックボダン（４）を備える。操作ボタン（３）は操作ボタン枢着部（８）により下蓋（２）の縁側に固定される。操作ボタン（３）の上端に係止部（９）と相応する被係止部（１０）が設けられる。ロックボダン（４）は操作ボタン（３の）下端にある。ロックボダン（４）に操作ボタン（３）の下端と接触する留め具（５）が設置されている。【選択図】図２
0003182606.tif 000002
【実用新案登録請求の範囲】
【請求項１】
上蓋（１）と下蓋（２）を備え、
上蓋（１）と下蓋（２）は枢着部（１１）により連結しており、
枢着部（１１）には、ねじりばね（１２）が設けられ、
上蓋（１）の縁側に係止部（９）が設けられ、
下蓋（２）は飲み口（７）、操作ボタン（３）、ロックボダン（４）を備え、
操作ボタン（３）は操作ボタン枢着部（８）により下蓋（２）の縁側に固定され、
操作ボタン（３）の上端に係止部（９）と相応する被係止部（１０）が設けられ、
ロックボダン（４）は操作ボタン（３）の下端にあり、
ロックボダン（４）に操作ボタン（３）の下端と接触する留め具（５）が設置されている、
ことを特徴とする魔法瓶用蓋体。
【請求項２】
前記操作ボタン枢着部（８）にボダンばね（１３）が設けられている、ことを特徴とする請求項１に記載の魔法瓶用蓋体。
【請求項３】
前記上蓋（１）に密閉栓（６）が設けられており、該密閉栓（６）は前記下蓋（２）にある飲み口（７）と対向する位置に配設されている、ことを特徴とする請求項１に記載の魔法瓶用蓋体。
【請求項４】
前記ロックボタン（４）には凸部が設けられていることを特徴とする請求項１〜３のいずれかに記載の魔法瓶用蓋体。
【考案の詳細な説明】
【技術分野】
【０００１】
本考案は、蓋体に関する技術であり、特に、ロック機能を持つ魔法瓶用蓋体に関するものである。
【背景技術】
【０００２】
現在、多くの魔法瓶の蓋体の開閉は主に螺旋式を採用している。螺旋式の場合、開閉作業に少なからず時間を要してしまう。特に喉が非常に渇いている人間にとって、すぐでも水分を求めたい時に、蓋を開けるのにぐるぐる回転しなければならないといったように、非常に不便さを感じるという問題がある。
【先行技術文献】
【特許文献】
【０００３】
【特許文献１】特開２００７−１２６１８６号公報
【考案の概要】
【考案が解決しようとする課題】
【０００４】
上記状況に鑑みて、本考案は、ロック機能を備え、魔法瓶内の水を溢さないように解錠しないと蓋を開けることができない、解錠時間が節約できる魔法瓶用蓋体を提供することを目的とする。
【課題を解決するための手段】
【０００５】
上記課題を解決するために、本考案の魔法瓶用蓋体は、下記１）〜７）の要件を備える。
１）上蓋（１）と下蓋（２）を備える。
２）上蓋（１）と下蓋（２）は枢着部（１１）により連結している。
３）枢着部（１１）には、ねじりばね（１２）が設けられている。
４）上蓋（１）の縁側に係止部（９）が設けられている。
５）下蓋（２）は、飲み口（７）、操作ボタン（３）とロックボダン（４）を備える。
６）操作ボタン（３）は操作ボタン枢着部（８）により下蓋（２）の縁側に固定されており、操作ボタン（３）の上端に係止部（９）と対向する位置に被係止部（１０）が配設されている。
７）ロックボダン（４）は操作ボタン（３）の下端にあり、ロックボダン（４）に操作ボタン（４）の下端と接触する留め具（５）が設置されている。
【０００６】
上記の本考案の魔法瓶用蓋体において、操作ボタン枢着部にねじりばねを設けることが好ましい。
また、上記の本考案の魔法瓶用蓋体において、上蓋に密閉栓が設けられており、該密閉栓は下蓋にある飲み口と対向する位置に密閉栓が設けられていることが好ましい。
また、上記の本考案の魔法瓶用蓋体において、ロックボタンに凸部が設けられていることが好ましい。凸部が設けられていることにより、解錠に便利である。
【考案の効果】
【０００７】
本考案に係る魔法瓶用蓋体によれば、ロック機能を有し、魔法瓶内の水を溢さないように解錠しないと蓋を開けることができないといった効果がある。また、本考案に係る魔法瓶用蓋体によれば、魔法瓶の保温効果をある程度を高め、解錠時間が節約でき、構造が簡単で、デザインが合理的で、低コストであるといった効果がある。
【図面の簡単な説明】
【０００８】
【図１】本考案に係る魔法瓶用蓋体の構造を示す図である。
【図２】本考案に係る魔法瓶用蓋体を開ける状態の構造を示す図である。
【図３】本考案に係る魔法瓶用蓋体のロックボタンと操作ボタンの配置構造を示す図である。
【考案を実施するための最良の形態】
【０００９】
以下、本考案の実施形態について、図面を参照しながら詳細に説明していく。なお、本考案の技術的保護範囲は、以下の実施例に限定されるものではない。
【実施例１】
【００１０】
以下、図１〜３を参照しながら、実施例１に係る魔法瓶用蓋体の説明を行う。
実施例１に係る魔法瓶用蓋体は、上蓋１と下蓋２を備え、上蓋１と下蓋２は枢着部１１により連結しており、枢着部１１にねじりばね１２が設けられている。
上蓋１の縁側には係止部９が設けられ、下蓋２は飲み口７、操作ボタン３、ロックボダン４を備える。操作ボタン３は、操作ボタン枢着部８により下蓋２の縁側に固定される。操作ボタン３の上端に係止部９と相応する被係止部１０を設け、ロックボダン４は操作ボタン３の下端にあり、ロックボダン４には、操作ボタン３の下端と接触する留め具５が設置されている。
【００１１】
ユーザが水分を取りたい時に、ロックボタン４を右方向にスライドさせて、留め具５と操作ボタン３の下端と分離し、操作ボタン３を押し込んで、操作ボタン３にある被係止部１０と上蓋１にある係止部９を分離させる。
上蓋１は、ボタンばね１２の動作により枢着部１１に沿って回転し、蓋を開けることが可能になり、ユーザは水分を取ることが可能になる。
【００１２】
ユーザが水分を飲んだ後、上蓋１を枢着部１１に沿って回転させ、上蓋１を元の位置に戻す。そして、ロックボタン４を左方向にスライドさせて復位させる。これで、操作ボタン３がロックボタン４にある留め具５によって支えられ、操作ボタン３が動かなくなり、上蓋１は開けられなくなってロックされる。このようにしてロック機能を実現する。
【００１３】
また、操作ボタン枢着部８には、ねじりばね１３が設けられている。また、上蓋１には密閉栓６が設けられており、上蓋が閉じることで、密閉栓６は下蓋２にある飲み口７を密閉することができる。また、ロックボタン４に解錠に便利な凸部が設けられている。
【００１４】
本考案に係る魔法瓶用蓋体はロック機能を持ち、魔法瓶内の水が溢れないように、解錠しないと蓋を開けることができない構造になっている。かかる構造によって、魔法瓶の保温効果をある程度を高め、解錠時間を節約し、簡単な構造で、合理的なデザインと低コストを実現できる。
【００１５】
以上の内容は、本考案に係る基本な原理及び主な特徴、また本考案の優れた点を記述している。上記実施例及び本明細書において本考案に係る原理しか述べておらず、また本考案の技術的範囲は上記実施例に限定されるものではない。本考案の技術的範囲を離れないことを前提として、本考案は他の変形と改良をすることがあり、上記変形と改良はすべて本考案の保護範囲に入ると考える。本考案の技術的範囲は記述した請求項の内容に限定されるものである。
【産業上の利用可能性】
【００１６】
本考案は、魔法瓶に有用である。
【符号の説明】
【００１７】
１  上蓋
２  下蓋
３  操作ボタン
４  ロックボタン
５  留め具
６  密閉栓
７  飲み口
８  操作ボタン枢着部
９  係止部
１０  被係止部
１１  枢着部
１２  ねじりばね
１３  ボダンばね
【図１】
0003182606.tif 000003
【図２】
0003182606.tif 000004
【図３】
0003182606.tif 000005